(57)【要約】【課題】夜間などに霧が発生している空気状態でも、換気を継続して室内への霧の浸入を抑えることができる換気装置を得ることを目的とする。【解決手段】屋外と室内とを連通するダクト６と、ダクト６に配置され、屋外から室内へ空気を導入する給気用送風機５と、ダクト６の屋外側に連接され、開口部が下方に形成されたフード１と、を備え、フード１は、給気用送風機５によって屋外から室内へ導入される空気の風路に複数の網２を備えたものである。【選択図】図１
2016023835.tif 000002
【特許請求の範囲】
【請求項１】
屋外と室内とを連通するダクトと、
前記ダクトに配置され、前記屋外から前記室内へ空気を導入する給気用送風機と、
前記ダクトの前記屋外側に連接され、開口部が下方に形成されたフードと、
を備え、
前記フードは、
前記給気用送風機によって前記屋外から前記室内へ導入される前記空気の風路に複数の網を備えた、
ことを特徴とする換気装置。
【請求項２】
前記複数の網は、
前記空気の風路の空気の流れ方向において、隣接する網同士の網目が一部重複するように配置される、
ことを特徴とする請求項１に記載の換気装置。
【請求項３】
前記複数の網は、
隣接する網同士の網目の向きをそれぞれ異ならせた、
ことを特徴とする請求項１に記載の換気装置。
【請求項４】
前記網目は、
正方形、菱形又は亀甲状の形状である、
ことを特徴とする請求項２又は３に記載の換気装置。
【請求項５】
前記複数の網は、
前記フードのダクト接続口より屋外側に設置され、前記空気に含まれる水分を捕集し、前記室内へ前記水分が浸入することを抑える、
ことを特徴とする請求項１〜４の何れか一項に記載の換気装置。
【請求項６】
前記フードは、
前記フードの内側に前記網を引っ掛けるストッパーを複数備え、
前記網は、
一辺を前記ダクト接続口に固定し、対向する他辺を前記フードに固定せず、前記ストッパー間に配置し、前記ダクト接続口に固定した前記一辺を回転軸として、回動可能に支持されている、
ことを特徴とする請求項１〜５の何れか一項に記載の換気装置。
【請求項７】
前記回動可能に支持されている網は、
最も外気側に近い網である、
ことを特徴とする請求項６に記載の換気装置。
【発明の詳細な説明】
【技術分野】
【０００１】
本発明は、給気送風機により換気を行う換気装置、特に外気取り入れ口に設置される部材の構造に関する。
【背景技術】
【０００２】
室内の空気汚染に由来するシックハウス対策として２４時間換気は効果的ではあるが、２４時間換気を行う場合、夜間から明け方にかけて発生する霧又はもやといったような高湿度の空気を吸い込んでしまい、そのため室内へ漏水が発生してしまう恐れがある。そのため、室内への霧の浸入に対して何らかの対策を行う必要がある。
【０００３】
そこで、その対策として、屋外フードの外気取り入れ口に網などが付いたフードを設置し、埃などの侵入を防ぐ屋外フードが提案されている（例えば特許文献１参照）。また湿度センサーが高湿度の空気を検知した場合、給気送風機を停止、間欠運転もしくは風量減運転に切り替える特殊な形状の霧浸入防止フードを備えることで、霧の浸入を抑える換気装置が提案されている（例えば特許文献２参照）。
【先行技術文献】
【特許文献】
【０００４】
【特許文献１】特開２００７―２５５７８６号公報（図１）
【特許文献２】特開２００９―３０００２０号公報（請求項１）
【発明の概要】
【発明が解決しようとする課題】
【０００５】
しかし、特許文献１に記載の屋外フードの場合、屋外フードの外気取り入れ口に網などを取り付けたとしても、網目が細かいものでないと霧を吸着できずに効果的ではない。そのため、霧を効率的に吸着できるように網目を細かくする必要があるが、網目が細かいと網目にほこりが詰まってしまい、頻繁に掃除等のメンテナンスが必要となる問題点があった。
また、特許文献２に記載の換気装置の場合、雨天時においても湿度センサーが高湿度の空気を検知してしまうため、給気送風機が停止したり間欠運転に切り替わってしまう問題点があった。また、風路をＳ字のようにすることによって霧の浸入を抑えることができる特殊形状の霧浸入防止フードは圧力損失が高く、送風性能に影響があることに加え、特殊形状であるが故に装置が高価になってしまう問題点があった。
【０００６】
本発明は、上記のような問題点を解決するためになされたもので、第一の目的は、夜間など霧の発生中においても換気を継続しつつ、室内へ霧が浸入することを抑えることができる換気装置を得ることにある。
第二の目的は、屋外フードに取り付けられた網のメンテナンスの期間を延ばす、もしくはメンテナンス自体を無くすとともに、低圧力損失で耐塵埃性が見込め、安価な換気装置を得ることにある。
【課題を解決するための手段】
【０００７】
本発明に係る換気装置は、屋外と室内とを連通するダクトと、ダクトに配置され、屋外から室内へ空気を導入する給気用送風機と、ダクトの屋外側に連接され、開口部が下方に形成されたフードと、を備え、フードは、給気用送風機によって屋外から室内へ導入される空気の風路に複数の網を備えたものである。
【発明の効果】
【０００８】
本発明によれば、夜間などに発生する霧が複数の網で捕集されることで、霧が室内へ浸入することを防ぐことができる。
【図面の簡単な説明】
【０００９】
【図１】本発明の実施の形態１における換気装置の断面図である。
【図２】図１の霧浸入防止フードの網の網目の向きを変えて複数枚重ねて設置した場合の網目の方向の例を表す図である。
【図３】本発明の実施の形態１における網の条件と霧の捕集率との関係の試験結果を示すグラフである。
【図４】本発明の実施の形態１における網の枚数及び網の角度ごとの圧力損失の違いを示すグラフである。
【図５】本発明の実施の形態１における網の形状の種類を表す図である。
【図６】本発明の実施の形態２における霧浸入防止フードにストッパーを設けた場合の霧浸入防止フードの断面図である。
【発明を実施するための形態】
【００１０】
実施の形態１．
図１〜図５は、本発明の実施の形態１を示す図である。
図１は、本発明の実施の形態１における換気装置の断面図である。図１に示されるように、換気装置は、フード１、網２、給気用送風機５及びダクト６を備えている。ダクト６は、壁を貫通し、屋外と室内とを連通して繋げている。フード１は、屋外側の壁（ダクト６接続口）に開口部を下向きにして連接して設けられ、ダクト６を通じて室内に繋がっている。ダクト６には給気用送風機５が設けられており、給気用送風機５が駆動することで、フード１が外気の入口となって屋外から室内に空気が導入されている。
【００１１】
霧浸入防止フードであって屋外側に設置されているフード１には、３枚の網２ａ、網２ｂ及び網２ｃが、一方の辺をダクト６接続口に固定して設置されている。そして、網２ａ、網２ｂ及び網２ｃは、それぞれの網２に対して、任意の角度α及びβを設けながら、対向する他辺をフード１に固定して設置されている。このように、３枚の網２ａ、網２ｂ及び網２ｃは、フード１内の空気の風路に設置され、空気は図１の実線矢印に示すように、外気取り入れ口３から、網２ａ、網２ｂ及び網２ｃを通過した後、室内へ給気される。この際、空気中に含まれる水分が網２と接触することで、空気中に含まれる水分が網２によって捕集される。
【００１２】
図２は、図１の霧浸入防止フードの網２の網目の向きを変えて複数枚重ねて設置した場合の網目の方向の例を表す図である。図２に示されるように、網２ａ、網２ｂ及び網２ｃは、網目が正方形の格子状の網２である。そして、網２ｂの網目は、網２ａ及び網２ｃの網目に対して、角度γとして例えば４５°を設け、網目の向きをそれぞれずらした状態で設置してある。このようにすることで、網１枚を通過することによって整流された霧を含んだ空気が、その次に通過する網目に接触しやすくなる。
【００１３】
図３は、本発明の実施の形態１における網２の条件と霧の捕集率との関係の試験結果を示すグラフである。試験条件として、フード１の形状は全試験において同じ形のものを用いて、霧（水分）を３０分で約３００グラム吸い込む条件とした。
【００１４】
図３に示されるように、フード内の網２の枚数及び網目の角度γをそれぞれ変更した結果、網２ａ、網２ｂ及び網２ｃを用いて、網２ｂの網目の角度γを網２ａ及び網２ｃの網目に対して４５°として設定した場合、つまり、図２に示す例と同様の条件とした場合、霧（水分）の捕集率は、約３８％となった。
一方、網２ａ、網２ｂ及び網２ｃの網目の角度γを０°として設定した場合、つまり全ての網２ａ、網２ｂ及び網２ｃの網目の角度を同じとした場合、霧（水分）の捕集率は、約２０％となった。
よって、網目の向きが４５°違う場合には、図３で示すように、網目の角度を全て同じとした場合に比べて約２倍の霧（水分）の捕集率となる結果が得られた。
【００１５】
上述したように、複数枚の網２を用いて、それぞれの網目の角度を変えて設置することにより、網１枚を通過することによって整流された霧を含んだ空気が、その次に通過する網目に接触しやすくなる。その結果、網目に霧が付着しやすくなる。このような網２の構成とすることで、網目が粗い網２でも、網目が細かいものよりも多くの霧を捕集することが可能である。
【００１６】
図４は、本発明の実施の形態１における網２の枚数及び網２の角度ごとの圧力損失の違いを示すグラフである。図４に示されるように、３枚の網２ａ、網２ｂ及び網２ｃを用い、かつ、網２ｂの網目の角度γを網２ａ及び網２ｃの網目に対して４５°として設定した条件と、網２の設置を行っていないフード単体の条件とを比較しても、圧力損失はほとんど増えていない。従って、網２の設置を行っていないフード単体の条件とほぼそん色ない低圧力損失で、風路をＳ字のようにすることによって霧の浸入を抑えることができる特殊形状フードよりも効率的に霧の浸入を抑えることができる。
【００１７】
図５は、本発明の実施の形態１における網２の形状の種類を表す図である。図５に示すように、網目が、菱形状および亀甲状といった異なる形状の網２においても上述した効果が同様に見込める。
【００１８】
以上のように、フード１において、２４時間換気を行うときに夜間などに霧が発生している空気状態で、換気を継続して外気を室内に取り入れる場合、複数の網２ａ、網２ｂ及び網２ｃが霧を捕集し、霧の浸入を抑えることができる。また、網２ａ、網２ｂ及び網２ｃで捕集した霧は網２ａ、網２ｂ及び網２ｃを伝ってフード１から下方に落ちるため、フード１は、ダクト６および室内への水分の浸入をドレン配管不要で抑えることができる。
また、従来のフード１に網２を設置するのみの単純な構造であるので、低コストで生産可能であり、さらに、網２の目を粗くすることで従来よりも低圧力損失で高い耐塵埃性が見込めるため、網２のメンテナンスの期間を延ばすことも可能となる。
【００１９】
なお、本実施の形態１において、網２の枚数を３枚として説明しているが、網２は２枚もしくは４枚以上としても良い。また、網２の角度α、β及び網目の角度γは、網２の枚数などに応じて任意に変化させても良い。
さらに、本実施の形態１において、網目の形状を正方形、菱形及び亀甲状を例に挙げているが、本発明はこれに限らず、例えば三角形などの形状としても良い。
また、複数の網２は同一の網目の形状で統一する必要はなく、例えば一枚目が正方形の網目、二枚目が菱形状の網目といったように異なる形状を用いても良い。さらに複数の網２は、異なる寸法で同一形状の網目の物を用いても良い。このように、空気の風路の流れ方向において、隣接する網同士の網目が一部重複するように配置することで、一枚目の網２を通過した霧が次の網２に衝突しやすくなるため、霧の捕集について同様の効果が期待できる。
なお、網２は金属製だけではなく、ナイロン製、布製などさまざまな種類を利用できる。
【００２０】
実施の形態２．
図６は、本発明の実施の形態２における霧浸入防止フードにストッパーを設けた場合の霧浸入防止フードの断面図である。図６に示されるように、網２の中で、外気側に最も近い網２ａについては、網２ａの一辺をダクト６接続口に固定し、対向する他辺はフード１に固定しないで設置する。そして、フード１の内側にストッパー４ａ及びストッパー４ｂを設け、上記のフード１に固定しない対向する他辺をストッパー４ａ及びストッパー４ｂの間に配置させる。これにより、ダクト６接続口に固定した網２ａの一辺を回転軸として、ストッパー４ａ及びストッパー４ｂの間で、網２ａを回転させることが可能となる。
【００２１】
このように、網２ａを回動自在な機構とすることで、給気用送風機５が動作しているときは、網２ａの壁側の一辺の固定点を軸にして、風圧により網２ａのフード１側の辺が最大でストッパー４ｂの位置まで持ち上がる。そして、給気用送風機５が止まったときは網２ａのフード１側の一辺が、ストッパー４ａに引っ掛かり、元の位置に戻るという動作が可能となる。
【００２２】
以上のように、網２ａに付いた埃を叩き落すことが可能となるので、より高い耐塵埃性が見込むことができる。これにより、屋外フードに取り付けられた網２のメンテナンスの期間を延ばす、もしくはメンテナンス自体を無くすことが可能な換気装置を得ることができる。
【００２３】
なお、本実施の形態２において、回転が可能な網２は、フード１内の外気側に最も近い網２ａとしているが、本発明はこれに限定されず、外気側に最も近い網２ａ以外の網２を回転可動としてもよい。
【符号の説明】
【００２４】
１  フード、２  網、２ａ  網、２ｂ  網、２ｃ  網、３  外気取り入れ口、４ａ  ストッパー、４ｂ  ストッパー、５  給気用送風機、６  ダクト。
【図１】
2016023835.tif 000003
【図２】
2016023835.tif 000004
【図３】
2016023835.tif 000005
【図４】
2016023835.tif 000006
【図５】
2016023835.tif 000007
【図６】
2016023835.tif 000008